(57)【要約】【課題】携帯電話機、身分証等の被吊下具の荷重がストラップの吊紐を介して装着者の首にかからないようにして、装着者に肩こり等の不快感を生じさせることのない被吊下具を吊り下げるためのストラップを提供すること。【解決手段】ストラップ１の吊紐２の基端側に固定具３を配設し、この固定具３を介して、ストラップ１の吊紐２の基端側を衣服Ｃの少なくとも２箇所に着脱可能に取り付けることができるようにする。【選択図】図１
2007044109.tif 000002
【特許請求の範囲】
【請求項１】
携帯電話機、身分証等の被吊下具を吊り下げるためのストラップにおいて、ストラップの吊紐の基端側に配設した固定具を介して、ストラップの吊紐の基端側を衣服の少なくとも２箇所に着脱可能に取り付けることができるようにしたことを特徴とするストラップ。
【請求項２】
固定具を、吊紐に位置調節可能に配設するようにしたことを特徴とする請求項１記載のストラップ。
【請求項３】
固定具が、衣服に固定される第１の固定具と、吊紐に配設し、前記第１の固定具と磁力によって吸着するようにした第２の固定具とからなることを特徴とする請求項１又は２記載のストラップ。
【請求項４】
第１の固定具を、磁力によって衣服の表裏両側から衣服を挟持して衣服に固定されるようにしたことを特徴とする請求項３記載のストラップ。
【請求項５】
固定具を配設したストラップの吊紐の基端側を自由端に形成したことを特徴とする請求項１、２、３又は４記載のストラップ。
【請求項６】
固定具を配設したストラップの吊紐の基端側をループ状に形成したことを特徴とする請求項１、２、３又は４記載のストラップ。
【発明の詳細な説明】
【技術分野】
【０００１】
本発明は、携帯電話機、身分証等の被吊下具を吊り下げるためのストラップに関するものである。
【背景技術】
【０００２】
従来、携帯電話機、身分証等の被吊下具を首から吊り下げるためのストラップが汎用されている（例えば、特許文献１参照）。
【０００３】
ところで、この首から吊り下げる形式のストラップは、ストラップを装着した際、ストラップの吊紐が装着者の首の後部に沿って巻き付くようになり、かつ、被吊下具の荷重がストラップの吊紐を介して装着者の首にかかるため、装着者に肩こり等の不快感を生じさせるという問題があった。
【特許文献１】特開２００１−２５１４０７号公報
【発明の開示】
【発明が解決しようとする課題】
【０００４】
本発明は、上記従来の首から吊り下げる形式のストラップの有する問題点に鑑み、携帯電話機、身分証等の被吊下具の荷重がストラップの吊紐を介して装着者の首にかからないようにして、装着者に肩こり等の不快感を生じさせることのない被吊下具を吊り下げるためのストラップを提供することを目的とする。
【課題を解決するための手段】
【０００５】
上記目的を達成するため、本発明の被吊下具を吊り下げるためのストラップは、携帯電話機、身分証等の被吊下具を吊り下げるためのストラップにおいて、ストラップの吊紐の基端側に配設した固定具を介して、ストラップの吊紐の基端側を衣服の少なくとも２箇所に着脱可能に取り付けることができるようにしたことを特徴とする。
【０００６】
この場合において、固定具を、吊紐に位置調節可能に配設するようにすることができる。
【０００７】
また、固定具を、衣服に固定される第１の固定具と、吊紐に配設し、前記第１の固定具と磁力によって吸着するようにした第２の固定具とから構成することができる。
【０００８】
また、第１の固定具を、磁力によって衣服の表裏両側から衣服を挟持して衣服に固定されるように構成することができる。
【０００９】
また、固定具を配設したストラップの吊紐の基端側を自由端に形成することができる。
【００１０】
また、固定具を配設したストラップの吊紐の基端側をループ状に形成することができる。
【発明の効果】
【００１１】
本発明の被吊下具を吊り下げるためのストラップによれば、ストラップの吊紐の基端側に配設した固定具を介して、ストラップの吊紐の基端側を衣服の少なくとも２箇所に着脱可能に取り付けることから、ストラップを装着した際、ストラップの吊紐が装着者の首の後部に沿って巻き付いたり、被吊下具の荷重がストラップの吊紐を介して装着者の首に直接かかることがなく、これによって、装着者に肩こり等の不快感を生じさせることを防止することができる。
【００１２】
また、固定具を、吊紐に位置調節可能に配設するようにすることにより、被吊下具の吊下位置を簡単に調節することができる。
【００１３】
また、固定具を、衣服に固定される第１の固定具と、吊紐に配設し、前記第１の固定具と磁力によって吸着するようにした第２の固定具とから構成することにより、ストラップの着脱を簡単に行うことができる。
【００１４】
また、第１の固定具を、磁力によって衣服の表裏両側から衣服を挟持して衣服に固定されるように構成することにより、衣服を痛めることなく第１の固定具を衣服に固定することができる。
【００１５】
また、固定具を配設したストラップの吊紐の基端側を自由端に形成することにより、ストラップの吊紐が装着者の首の後部に沿って巻き付くことを防止することができる。
【００１６】
また、固定具を配設したストラップの吊紐の基端側をループ状に形成することにより、被吊下具の荷重がストラップの吊紐を介して装着者の首に直接かかることを防止しながら、大きな負荷がかかったときの被吊下具の落下を確実に防止することができる。
【発明を実施するための最良の形態】
【００１７】
以下、本発明の被吊下具を吊り下げるためのストラップの実施の形態を、図面に基づいて説明する。
【００１８】
図１〜図５に、本発明の被吊下具を吊り下げるためのストラップの一実施例を示す。
この被吊下具を吊り下げるためのストラップは、携帯電話機、身分証等の被吊下具Ｔ（本実施例では、携帯電話機の例を記載している。なお、本明細書において、単に、「被吊下具Ｔ」という。）を吊り下げるためのストラップ１であって、ストラップ１の吊紐２の基端側に固定具３を配設し、この固定具３を介して、ストラップ１の吊紐２の基端側を衣服Ｃの左右２箇所に着脱可能に取り付けることができるようにしている。
【００１９】
ここで、ストラップ１の吊紐２の基端側にそれぞれ配設した固定具３を、図１に示す例では、衣服Ｃの左右の襟部分に、また、図２に示す例では、衣服Ｃの左右の肩部分に、それぞれ取り付けるようにしているが、固定具３を取り付ける位置は任意に設定することができる。
【００２０】
ストラップ１の吊紐２には、その先端側（被吊下具Ｔの取付側）に、従来公知のストラップに採用されている、被吊下具Ｔを取り付けるためのループ状の連結紐等の適宜の連結部２１を形成するようにする。
また、ストラップ１の吊紐２には、従来公知のストラップに採用されている、繊維製、合成樹脂製、皮革製、金属製等の柔軟性のある紐状体を広く使用することができる。
さらに、ストラップ１の吊紐２には、必要に応じて従来公知のストラップ等に採用されている長さ調整部材を配設することができる。
【００２１】
ところで、図１〜図３に示す例では、固定具３を配設したストラップ１の吊紐２の基端側を自由端に形成する（ストラップ１の吊紐２の基端側をループ状に形成せずに、端部とする）ようにしているが、これにより、ストラップ１の吊紐２が装着者Ｍの首の後部に沿って巻き付くことを防止することができる。
【００２２】
一方、図４に示す例のように、固定具３を配設したストラップ１の吊紐２の基端側をループ状に形成することもできる。
この場合、固定具３を介してストラップ１の吊紐２の基端側を衣服Ｃに取り付けるに際して、ストラップ１の吊紐２のループ状に形成した基端側に余裕を持たせることにより、吊紐２のループ状に形成した基端側が装着者Ｍの首の後部に沿って強く巻き付かないようにする。
これにより、被吊下具Ｔの荷重がストラップ１の吊紐２を介して装着者Ｍの首に直接かかることを防止しながら、大きな負荷がかかったときの被吊下具Ｔの落下を確実に防止することができる。
【００２３】
固定具３は、吊紐２の基端側の適宜位置に固定して配設することもできるが、図５に詳示するように、位置調整部材４を介して位置調節可能に配設するようにすることもできる。
なお、図５に示す位置調整部材４は、図５（ｂ）に示すように、操作部４１をばね４２の付勢力に抗して押し下げることにより、固定具３を取り付けた位置調整部材４を吊紐２に沿って移動できるようにするものであるが、位置調整部材４の機構は、これに限定されず、同様の機能を有する任意の機構を採用することができる。
【００２４】
また、固定具３は、図５（ａ）に示すように、衣服に固定される第１の固定具３１と、吊紐２に配設し、第１の固定具３１と磁力によって吸着するようにした第２の固定具３２とから構成することができる。
これにより、ストラップ１の着脱を簡単に行うことができる。
さらに、第１の固定具３１を、磁力によって衣服Ｃの表裏両側から衣服Ｃを挟持して衣服Ｃに固定される２個の固定具片３１ａ、３１ｂから構成することができる。
これにより、衣服Ｃを痛めることなく第１の固定具３１を衣服に固定することができる。
この場合、固定具３を構成する第１の固定具３１（固定具片３１ａ、３１ｂ）及び第２の固定具３２をすべて磁石で構成することもできるが、その一部を磁性体で構成することもできる。
なお、第１の固定具３１（固定具片３１ａ、３１ｂ）による衣服Ｃへの固定力が、第１の固定具３１と第２の固定具３２との間の固定力より大きくなるようにすることが好ましい。これにより、第１の固定具３１（固定具片３１ａ、３１ｂ）が衣服Ｃから離脱して紛失することを防止できる。
【００２５】
また、固定具３は、本実施例においては、磁力の吸着作用を利用して衣服Ｃに着脱可能に取り付けるようにしているが、その全部又は一部に、ピンやクリップ等の機械的な固定手段や接着剤（粘着剤）等の任意の固定手段を利用することもできる。
なお、固定具３の大きさや個数は、吊下対象となる被吊下具Ｔの重量等に応じて、適宜設定することができ、特に、被吊下具Ｔの重量が大きい場合等には、固定具３の面積を大きくして衣服Ｃの広い範囲に取り付けるようにしたり、ストラップ１の吊紐２の基端側を分岐させて衣服Ｃの２箇所以上の複数箇所に取り付けるようにすることによって、被吊下具Ｔの荷重のかかる範囲を分散させることができる。
【００２６】
この被吊下具Ｔを吊り下げるためのストラップ１によれば、ストラップ１の吊紐２の基端側に配設した固定具３を介して、ストラップ１の吊紐２の基端側を衣服Ｃの少なくとも２箇所に着脱可能に取り付けることから、ストラップ１を装着した際、ストラップ１の吊紐２が装着者Ｍの首の後部に沿って巻き付いたり、被吊下具Ｔの荷重がストラップの吊紐を介して装着者Ｍの首に直接かかることがなく、これによって、装着者Ｍに肩こり等の不快感を生じさせることを防止することができる。
【００２７】
以上、本発明の被吊下具を吊り下げるためのストラップについて、その実施例に基づいて説明したが、本発明は上記実施例に記載した構成に限定されるものではなく、その趣旨を逸脱しない範囲において適宜その構成を変更することができるものである。
【産業上の利用可能性】
【００２８】
本発明の被吊下具を吊り下げるためのストラップは、被吊下具の荷重がストラップの吊紐を介して装着者の首にかからないようにして、装着者に肩こり等の不快感を生じさせることがないという特性を有していることから、携帯電話機のほか、身分証等の被吊下具を吊り下げる用途に広く用いることができる。
【図面の簡単な説明】
【００２９】
【図１】本発明の被吊下具を吊り下げるためのストラップを適用した一例を示す説明図である。
【図２】本発明の被吊下具を吊り下げるためのストラップを適用した一例を示す説明図である。
【図３】本発明の被吊下具を吊り下げるためのストラップの一実施例を示す説明図である。
【図４】本発明の被吊下具を吊り下げるためのストラップの一実施例を示す説明図である。
【図５】固定具及び位置調整部材の一例を示し、（ａ）は固定具及び位置調整部材を衣服に取り付けた状態を示す説明図、（ｂ）は位置調整部材の使用方法を示す説明図である。
【符号の説明】
【００３０】
１  ストラップ
２  吊紐
３  固定具
４  位置調整部材
Ｃ  衣服
Ｍ  装着者
Ｔ  被吊下具
【図１】
2007044109.tif 000003
【図２】
2007044109.tif 000004
【図３】
2007044109.tif 000005
【図４】
2007044109.tif 000006
【図５】
2007044109.tif 000007